(57)【要約】      （修正有）【課題】閉鎖部材を電池扉から独立させた聴覚装置を提供する。【解決手段】聴覚装置は、ハウジング４と、ハウジングに取り付けられて旋回軸１３周りでハウジングに対して旋回するように構成された電池扉１２と、ハウジングに取り付けられて第１の遠位端をもつ第１の閉鎖アームを有する閉鎖部材６とを備える。電池扉１２は閉鎖装置を備え、電池扉１２が閉位置にあるとき第１の閉鎖アームと係合するように構成された第１の主閉鎖要素を有する。第１の閉鎖アームが可撓性であり、それによって、電池扉が開位置から閉位置に移動するとき、第１の遠位端が第１の方向に変位する。【選択図】図７Ａ
2015180055.tif 000002
【特許請求の範囲】
【請求項１】
ハウジングと、
旋回軸周りで前記ハウジングに対して旋回するように前記ハウジングに取り付けられた電池扉と、
前記ハウジングに取り付けられ、第１の遠位端をもつ第１の閉鎖アームを有する閉鎖部材と、を備える聴覚装置であって、
前記電池扉が閉鎖装置を備え、前記閉鎖装置が、前記電池扉が閉位置にあるとき前記第１の閉鎖アームと係合するように構成された第１の主閉鎖要素を有し、
前記第１の閉鎖アームが可撓性であり、それによって、前記電池扉が開位置から前記閉位置に移動するときに、前記第１の遠位端が第１の方向に変位し、前記第１の遠位端が変位する前記第１の方向が前記旋回軸に平行な主方向成分を有する、聴覚装置。
【請求項２】
前記第１の遠位端が変位する前記第１の方向が前記旋回軸に対して垂直な２次方向成分を有し、前記２次方向成分が前記主方向成分より小さい、請求項１に記載の聴覚装置。
【請求項３】
前記閉鎖部材が閉鎖本体を備え、前記第１の閉鎖アームが前記閉鎖本体から延出する、請求項１に記載の聴覚装置。
【請求項４】
前記閉鎖本体と前記第１の閉鎖アームとが、９０〜１７０度のいずれかの値を有する角度を形成する、請求項３に記載の聴覚装置。
【請求項５】
前記閉鎖部材が金属製である、請求項１に記載の聴覚装置。
【請求項６】
前記閉鎖部材がプラスチック材料製である、請求項１に記載の聴覚装置。
【請求項７】
前記ハウジングが、前記閉鎖部材を受け入れて前記閉鎖部材を前記ハウジングに連結する収容部を備える、請求項１に記載の聴覚装置。
【請求項８】
前記第１の閉鎖アームが、前記第１の遠位端に第１の突起を備える、請求項１に記載の聴覚装置。
【請求項９】
前記閉鎖装置が第１の２次閉鎖要素を備え、前記電池扉が半閉位置にあるときに、前記第１の閉鎖アームが前記第１の２次閉鎖要素と係合するように構成される、請求項１に記載の聴覚装置。
【請求項１０】
前記閉鎖部材が第２の遠位端を有する第２の閉鎖アームを備え、前記閉鎖装置が、前記電池扉が前記閉位置にあるときに、前記第２の閉鎖アームと係合するように構成された第２の主閉鎖要素を備え、
前記第２の閉鎖アームが可撓性であり、それによって、前記電池扉が前記開位置から前記閉位置へ移動するときに、前記第２の遠位端が第２の方向に変位し、前記第２の遠位端が変位する前記第２の方向が前記旋回軸に平行な主方向成分を有する、請求項１に記載の聴覚装置。
【請求項１１】
前記第１の方向と前記第２の方向とが逆向きである、請求項１０に記載の聴覚装置。
【請求項１２】
前記第１の閉鎖アームと前記第２の閉鎖アームとが５度より大きい角度を形成する、請求項１０に記載の聴覚装置。
【請求項１３】
前記第２の閉鎖アームが第２の突起を前記第２の遠位端に備える、請求項１０に記載の聴覚装置。
【請求項１４】
前記閉鎖装置が、第１の２次閉鎖要素および第２の２次閉鎖要素を備え、
前記電池扉が半閉位置にあるときに、前記第１の閉鎖アームが、前記第１の２次閉鎖要素と係合するように構成され、
前記電池扉が前記半閉位置にあるとき、前記第２の閉鎖アームが、前記第２の２次閉鎖要素と係合するように構成される、請求項１０に記載の聴覚装置。
【請求項１５】
聴覚装置用の閉鎖部材であって、前記閉鎖部材が閉鎖本体および第１の閉鎖アームを備え、前記閉鎖本体と前記第１の閉鎖アームとが９０〜１７０度のいずれかの値を有する角度を形成する、閉鎖部材。
【発明の詳細な説明】
【技術分野】
【０００１】
本開示は、閉鎖機構を有する聴覚装置、詳細には、聴覚装置内に電池を収容および／または保持するための電池扉を有する聴覚装置に関する。
【背景技術】
【０００２】
補聴器業界の関心の的は、使用者に利する、より小さくより目立たない補聴器を作ることであり、したがって、補聴器の寸法を減少させることができる設計が重要である。さらに、設計が、製造するのに容易であり安価であることが、コストの観点から大きな関心事である。一般に、聴覚装置にはボタン電池が使用され、従来、補聴器の電池扉にはロッキング機構が取り付けられ、そのロッキング機構が、聴覚装置を嵩張らせ、製造プロセスを複雑にし、かつ／またはロッキング機構の高い故障率をもたらす。
【０００３】
さらに、聴覚装置の部品は、頑丈で摩耗に強くなくてはならない。さらに、可動部分をぴったり合わせることが、使用感を向上させるために望ましい。
【発明の概要】
【０００４】
聴覚装置に適切な改良された閉鎖機構が必要とされている。
開示されるのは、ハウジングと、ハウジングに取り付けられ、旋回軸周りでハウジングに対して旋回するように構成された電池扉と、ハウジングに取り付けられ、第１の遠位端をもつ第１の閉鎖アームを有する閉鎖部材とを備える聴覚装置である。電池扉は、この電池扉が閉位置にあるとき第１の閉鎖アームと係合するように構成された第１の主閉鎖要素を備える閉鎖装置を具備する。第１の閉鎖アームは可撓性であり、それによって、電池扉が開位置から閉位置に移動するとき、第１の遠位端が第１の方向に変位する。第１の遠位端の変位は、旋回軸に平行な主方向成分を有する。
【０００５】
さらに開示されるのは、聴覚装置用の閉鎖部材である。閉鎖部材は、閉鎖本体と、第１の閉鎖アームとを備える。閉鎖本体と第１の閉鎖アームとは９０〜１７０度の範囲内の角度を形成する。
【０００６】
閉鎖部材に関する特徴の説明は、本開示の聴覚装置の閉鎖部材にも同等に適用され、その逆も同様である。したがって、説明全体に亘って、「閉鎖部材」への言及は、閉鎖部材および聴覚装置の閉鎖部材の両方への言及である。
【０００７】
本開示の聴覚装置および閉鎖部材は、聴覚装置の電池扉用の耐久性があり持続性のある閉鎖機構を実現する。さらに、分離可能な閉鎖部材により、閉鎖部材と聴覚装置ハウジングとを２つの独立部品として製造することが可能になり、たとえば材料に関し、高度な設計自由度が得られる。
【０００８】
閉鎖部材を聴覚装置ハウジングおよび電池扉から独立して製造することが可能であることによって、いくつもの利点がもたらされる。
【０００９】
閉鎖部材を聴覚装置ハウジングとは異なる材料で製造することが容易になり得る。個別の部品の機械的要件に適合する機械的特性を有する材料によって、それぞれ異なる部品を製造することが、技術的視野では望ましい。たとえば、閉鎖部材は、機械的摩耗を受け、ハウジングの要件とは全く異なる可撓性が必要である。
【００１０】
ハウジングから独立した閉鎖部材は、設計の自由度を増やす。
【００１１】
さらに、本開示の聴覚装置および閉鎖部材は、必要なら交換することができる交換可能部品としての閉鎖部材を実現し、それは特に、閉鎖部材など、機械的摩耗や磨滅を受ける部品にとっては利点になる。
【００１２】
さらに別の利点として、本開示の聴覚装置および閉鎖部材は、電池扉を小さくし易くし、部品の寸法公差に関する要求を抑える助けをする。
【００１３】
さらに別の利点として、閉鎖部材は電池ヒンジ機構の摩耗を減少させ、たとえば、第１および／または第２の閉鎖アームの変位の主方向成分が旋回軸に平行であることによって、電池扉ヒンジ機構および閉鎖機構の摩耗が減少する。
【００１４】
聴覚装置は、ハウジングと、旋回軸周りでハウジングに対して旋回するようにハウジングに取り付けられた電池扉と、ハウジングに取り付けられ、第１の遠位端をもつ第１の閉鎖アームを有する閉鎖部材とを備え、電池扉は閉鎖装置を備え、閉鎖装置は、この電池扉が閉位置にあるとき第１の閉鎖アームと係合するように構成された第１の主閉鎖要素を有し、第１の閉鎖アームは可撓性であり、それによって、電池扉が開位置から閉位置に移動するとき、第１の遠位端が第１の方向に変位し、第１の遠位端が変位する第１の方向は、旋回軸に平行な主方向成分を有する。
【００１５】
任意選択で、第１の遠位端が変位する第１の方向が、旋回軸に対して垂直な２次方向成分を有し、２次方向成分は主方向成分より小さい。
【００１６】
任意選択で、閉鎖部材が閉鎖本体を備え、第１の閉鎖アームがその閉鎖本体から延出する。
【００１７】
任意選択で、閉鎖本体と第１の閉鎖アームとが、９０〜１７０度のいずれかの値を有する角度を形成する。
【００１８】
任意選択で、閉鎖部材は金属製でもよい。
【００１９】
任意選択で、閉鎖部材はプラスチック材料製でもよい。
【００２０】
任意選択で、ハウジングが、閉鎖部材を受け入れ閉鎖部材をハウジングに連結する収容部を備える。
【００２１】
任意選択で、第１の閉鎖アームが、第１の遠位端に第１の突起を備える。
【００２２】
任意選択で、閉鎖装置が第１の２次閉鎖要素を備え、電池扉が半閉位置にあるとき、第１の閉鎖アームが、第１の２次閉鎖要素と係合するように構成されている。
【００２３】
任意選択で、閉鎖部材が第２の遠位端を有する第２の閉鎖アームを備え、閉鎖装置が電池扉が閉位置にあるときに第２の閉鎖アームと係合するように構成された第２の主閉鎖要素を備え、第２の閉鎖アームは可撓性であり、それによって、電池扉が開位置から閉位置へ移動するとき、第２の遠位端が第２の方向に変位し、第２の遠位端が変位する第２の方向は旋回軸に平行な主方向成分を有する。
【００２４】
任意選択で、第１の方向と第２の方向とが逆向きである。
【００２５】
任意選択で、第１の閉鎖アームと第２の閉鎖アームは、５度より大きい角度を形成する。
【００２６】
任意選択で、第２の閉鎖アームが第２の遠位端に第２の突起を備える。
【００２７】
任意選択で、閉鎖装置が第１の２次閉鎖要素および第２の２次閉鎖要素を備え、電池扉が半閉位置にあるとき、第１の閉鎖アームが第１の２次閉鎖要素と係合するように構成され、電池扉が半閉位置にあるとき、第２の閉鎖アームが第２の２次閉鎖要素と係合するように構成されている。
【００２８】
聴覚装置用の閉鎖部材が閉鎖本体および第１の閉鎖アームを備え、閉鎖本体と第１の閉鎖アームとが９０〜１７０度のいずれかの値を有する角度を形成する。
【図面の簡単な説明】
【００２９】
以下、例示的聴覚装置およびその部品が、より詳細に図面を参照して説明される。
【図１】電池扉を有する例示的聴覚装置の少なくとも部分的な概略図である。
【図２】例示的電池扉の概略図である。
【図３】例示的閉鎖部材の概略図である。
【図４】例示的閉鎖部材の概略図である。
【図５】閉鎖部材の側面図である。
【図６Ａ】電池扉が開位置にある聴覚装置の概略図である。
【図６Ｂ】電池扉が開位置にある聴覚装置の概略図である。
【図７Ａ】電池扉が閉位置にある聴覚装置の概略図である。
【図７Ｂ】電池扉が閉位置にある聴覚装置の概略図である。
【図８Ａ】電池扉が半閉位置にある聴覚装置の概略図である。
【図８Ｂ】電池扉が半閉位置にある聴覚装置の概略図である。
【図９】例示的閉鎖装置および例示的閉鎖部材の概略図である。
【図１０】例示的閉鎖装置および例示的閉鎖部材の概略図である。
【図１１】閉鎖部材を有する例示的聴覚装置ハウジングの概略図である。
【図１２】例示的閉鎖部材の概略図である。
【発明を実施するための形態】
【００３０】
次いで、本発明が、本発明の例示的実施形態が示されている添付図面を参照して、より完全に説明される。ただし、本発明は、様々な形態で実施することができ、本明細書に記載された実施形態に限定されると理解されるべきではない。むしろ、これら実施形態は、本開示を完璧で完全なものにし、本発明の範囲を当業者に十分に伝えるために提示されている。全体を通して同じ参照番号は同じ要素を示す。同じ要素は、必ずしも図の記述毎に詳細に説明していない。
【００３１】
聴覚装置のハウジングは、１つまたは複数のシェル部品を備えてもよい。たとえば、ハウジングは、１つまたは複数のシェル部品を支えるフレームを備えてもよい。
【００３２】
閉鎖部材は、第１の遠位端を有する第１の閉鎖アームを備える。第１の遠位端は、電池扉が開（第１の）位置から閉（第２の）位置または半閉（第３の）位置へ移動するとき、第１の方向に変位する。あるいはまたはさらに、第１の遠位端は、電池扉が閉から開位置へ移動するとき、第１の方向に変位することができる。
【００３３】
第１の遠位端の変位は、旋回軸に平行な、または旋回軸から±１０度以内の主方向成分を有する。第１の遠位端の変位は、２次方向成分を有してもよい。第１の遠位端の変位の２次方向成分は、旋回軸に対して垂直でよい。第１の遠位端の変位の２次方向成分は、第１の遠位端の変位の主方向成分より小さくてよく、たとえば主方向成分の５０％未満である。
【００３４】
第１の閉鎖アームは、第１の遠位端に第１の突起を備えてもよい。
【００３５】
第１の突起は、電池扉の閉鎖装置の１つまたは複数の窪みと係合するように設計することができる。たとえば、第１の突起は、第１の主閉鎖要素と係合するように設計することができる。閉位置では、第１の突起は、第１の主閉鎖要素と係合することができる。第１の主閉鎖要素は、第１の突起をたとえば閉位置で嵌め込みまたは受け入れるように構成された窪みを形成することができる。
【００３６】
閉鎖装置は第１の２次閉鎖要素を備えてもよい。第１の閉鎖アームは、電池扉が半閉位置にあるとき、第１の２次閉鎖要素と係合するように構成することができる。
【００３７】
第１の突起は、第１の２次閉鎖要素と係合するように設計することができる。半閉位置では、第１の突起は、第１の２次閉鎖要素と係合することができる。第１の２次閉鎖要素は、第１の突起をたとえば半閉位置で嵌め込みまたは受け入れるように構成された窪みを形成することができる。
【００３８】
使用者が電池扉を開閉するとき、すなわち、電池扉が一つの位置から別の位置へ、たとえば開、半閉、または閉位置のうちの１つから開、半閉、または閉位置のうちの別の位置へ移動するとき、第１の突起は、第１の主閉鎖要素および／または第１の２次閉鎖要素のある面、たとえば前方面または後方面に接触して、第１の閉鎖アームの第１の遠位端を変位させることができる。このように、第１の突起は、電池扉を一つの位置から別の位置へ移動させるには、使用者が、必ず電池扉に力を加えなければならないようにする。第１の突起は、閉、半閉、および／または開位置など、ある位置に電池扉を保持する。
【００３９】
閉鎖部材は、第２の遠位端を有する第２の閉鎖アームを備えてもよい。閉鎖装置は、電池扉が閉位置にあるとき第２の閉鎖アームと係合するように構成された第２の主閉鎖要素を備えてもよい。第２の閉鎖アームは可撓性にすることができ、それによって、電池扉が開位置から閉位置へ移動するとき、第２の遠位端が第２の方向に変位する。あるいはまたはさらに、第２の遠位端は、電池扉が閉から開位置へ移動するとき、第２の方向に変位することができる。第２の遠位端の変位は、旋回軸に平行な主方向成分を有してよい。さらに、第２の遠位端の変位は、２次方向成分を有してもよい。第２の遠位端の変位の２次方向成分は、旋回軸に対して垂直でよい。第２の遠位端の変位の２次方向成分は、第２の遠位端の変位の主方向成分より小さくてよく、たとえば主方向成分の５０％未満である。
【００４０】
第２の閉鎖アームは第２の遠位端に第２の突起を備えてもよい。
【００４１】
第２の突起は、電池扉の閉鎖装置の１つまたは複数の窪みと係合するように設計することができる。たとえば、第２の突起は、第２の主閉鎖要素と係合するように設計することができる。閉位置では、第２の突起は、第２の主閉鎖要素と係合することができる。第２の主閉鎖要素は、第２の突起を嵌め込みまたは受け入れるように構成された窪みを形成することができる。
【００４２】
閉鎖装置は第２の２次閉鎖要素を備えてもよい。第２の閉鎖アームは、電池扉が半閉位置にあるとき第２の２次閉鎖要素と係合するように構成することができる。
【００４３】
第２の突起は、第２の２次閉鎖要素と係合するように設計することができる。半閉位置では、第２の突起は、第２の２次閉鎖要素と係合することができる。第２の２次閉鎖要素は、第２の突起を嵌め込みまたは受け入れるように構成された窪みを形成することができる。
【００４４】
第１の主閉鎖要素、第１の２次閉鎖要素、第２の主閉鎖要素、および／または第２の２次閉鎖要素などの閉鎖要素は、前方面、第１の面、後方面、および／または第２の面を備えてもよい。閉鎖要素の前方面および／または後方面は、旋回軸に平行な軸に対して傾けることができる。閉鎖要素の第１の面および／または第２の面は、旋回軸に平行な軸に対して垂直にすることができる。
【００４５】
第１の閉鎖アームおよび／または第２の閉鎖アームなどの閉鎖アームは、前方面、第１の面、および／または後方面を備えてもよい。閉鎖アームの前方面および／または後方面は、旋回軸に平行な軸に対して傾けることができる。閉鎖アームの第１の面は、旋回軸に平行な軸に対して垂直にすることができる。閉鎖アームの前方面、第１の面、および／または後方面は、第１および／または第２の突起を形成することができる。
【００４６】
使用者が電池扉を開閉するとき、すなわち、電池扉が一つの位置から別の位置へ、たとえば開、半閉、または閉位置のうちの１つの位置から開、半閉、または閉位置のうちの別の位置へ移動するとき、第２の突起は、第２の主閉鎖要素および／または第２の２次閉鎖要素のある面、たとえば前方面または後方面に接触して、第２の閉鎖アームの第２の遠位端を変位させることができる。このように、第２の突起は、電池扉を一つの位置から別の位置へ移動させるには、使用者が、必ず電池扉に力を加えなければならないようにする。第２の突起は、閉、半閉、および／または開位置などの位置に電池扉を保持する。
【００４７】
１つまたは複数の第１の閉鎖要素、すなわち第１の主閉鎖要素および／または第１の２次閉鎖要素を、１つまたは複数の第２の閉鎖要素、すなわち第２の主閉鎖要素および／または第２の２次閉鎖要素とは逆向きに配置することができる。たとえば、１つまたは複数の第１の閉鎖要素を１つまたは複数の第２の閉鎖要素に向き合わせることもできるし、１つまたは複数の第１の閉鎖要素を１つまたは複数の第２の閉鎖要素に背を向けさせることもできる。
【００４８】
第１の方向および／または第１の方向の主方向成分と、第２の方向および／または第２の方向の主方向成分とは逆向きにすることができる。たとえば、第１の方向および／または第１の方向の主成分と第２の方向および／または第２の方向の主成分とは、互いに向かい合ってもよいし、第１の方向および／または第１の方向の主成分と第２の方向および／または第２の方向の主成分とは、互いに背を向けてもよい。
【００４９】
第１の突起が第１の主閉鎖要素に係合すると同時または実質的に同時に、第２の突起が第２の主閉鎖要素に係合するように、第１の主閉鎖要素を第２の主閉鎖要素に逆向きに配置することができる。あるいはまたはさらに、第１の突起が第１の２次閉鎖要素に係合すると同時にまたは実質的に同時に、第２の突起が第２の２次閉鎖要素に係合するように、第１の２次閉鎖要素を第２の２次閉鎖要素に逆向きに配置することができる。
【００５０】
閉鎖要素を互いに逆向きに配置することによって、閉鎖要素の内部応力が低減され、かつ／または内部応力がより適切に分散される。
【００５１】
第１の突起と第２の突起とは逆方向に延出することができる。たとえば第１の突起と第２の突起とは、互いの方へかつ／または向かい合って延出することができ、または第１の突起と第２の突起とは互いに背を向けて延出することができる。
【００５２】
第１の方向と第２の方向とが逆向きになり、もしくは少なくともそれらそれぞれの主方向成分が逆向きになり、かつ／または第１の突起と第２の突起とが逆方向に延出するように配置することによって、聴覚装置ハウジングへの固定に関する閉鎖装置の要件を緩和することができ、その理由は、第１の遠位端の変位を第１の方向に起こさせる力が、第２の遠位端の変位を第２の方向に起こさせる別の力によって相殺され、または部分的に相殺されるからである。
【００５３】
力を相殺し、内部応力を低減し、かつ／または内部応力を分散させることによって、材料および製造プロセスに関する要件が緩和し、部品損傷の危険度が低下する。さらに、設計の自由度の増加、および小型化を達成することができる。
【００５４】
第１の閉鎖アームと第２の閉鎖アームとは、５度より大きい角度、たとえば１０度より大きい角度、たとえば１５度より大きい角度を形成することができる。第１の閉鎖アームは、第１のアーム軸に沿って延出することができる。第２の閉鎖アームは、第２のアーム軸に沿って延出することができる。第１のアーム軸と第２のアーム軸とは、５度より大きい角度、たとえば１０度より大きい角度、たとえば１５度より大きい角度を形成して交差することができる。第１の閉鎖アームと第２の閉鎖アームとの角度によって、閉鎖本体を小型化することができ、したがって聴覚装置を小型化することができる。
【００５５】
第１および／または第２の遠位端の変位の主方向成分は、０．１ｍｍより大きく、たとえば０．３ｍｍより大きく、たとえば０．８ｍｍより大きくすることができる。
【００５６】
第１および／または第２の遠位端の変位の主方向成分と２次方向成分との比は、２：１より大きく、たとえば５：１より大きく、たとえば１０：１より大きくすることができ、２次方向成分が主方向成分より小さい。
【００５７】
閉鎖部材は、第１の閉鎖アームおよび／または第２の閉鎖アームが閉鎖本体から延出している閉鎖本体を備えていてもよい。閉鎖本体は、１つまたは複数の貫通孔または１つまたは複数の切抜き部を有していてもよい。閉鎖本体の１つまたは複数の貫通孔または切抜き部は、閉鎖部材の応力分布の改善に寄与し、かつ／または内部応力の低減を助ける。さらにまたはあるいは、１つまたは複数の閉鎖アームの弾性特性を制御することができ、かつ／または閉鎖アームの寸法でのより高度な設計自由度を可能にすることができる。閉鎖本体またはその部品は、ハウジングの収容部に係合するように構成することができる。
【００５８】
閉鎖本体と第１の閉鎖アームおよび／または第２の閉鎖アームとは、１８０度未満、たとえば９０〜１７０度の範囲内、たとえば１１０〜１５０度の範囲内、たとえば１２０〜１３０度の範囲内の角度を形成することができる。閉鎖本体と１つまたは複数のアームとの角度は、電池扉の閉鎖をより容易なものにすることができる。その角度が、電池扉が旋回軸周りで回転している間に電池扉の閉鎖装置を閉鎖部材に係合させることを可能にする。さらに、その角度が、電池室の外周に近接して閉鎖装置を配置することを可能にし、その結果、小型の電池扉および聴覚装置が実現される。
【００５９】
閉鎖部材は着脱可能にハウジングに取り付けることができる。ハウジングは、閉鎖部材を受け入れて閉鎖部材をハウジングに連結する収容部を備えてもよい。収容部は、閉鎖本体またはその部品と係合するように構成されていてもよい。
【００６０】
収容部および／または閉鎖本体は、収容部ロッキング要素および／または閉鎖本体ロッキング要素など、１つまたは複数のロッキング要素を備えてもよい。１つまたは複数のロッキング要素は、たとえばプレスフィットロック、クリックロック、および／またはツイストロックを用いて、閉鎖本体が収容部に挿入されたとき閉鎖部材を保持するように働く。
【００６１】
収容部は、収容部ロッキング要素、たとえば突起および／または窪みを備えてもよい。閉鎖本体は、閉鎖本体ロッキング要素、たとえば突起および／または窪みを備えてもよい。収容部ロッキング要素および／または閉鎖本体ロッキング要素は、閉鎖本体が収容部に挿入されたとき相互に働いて閉鎖部材を保持することができる。
【００６２】
収容部は、閉鎖本体の第１の側部を受け入れるための第１のレールを備えてもよい。さらに、収容部は、第１のレールに対向する第２のレールを備えてもよい。第２のレールは、閉鎖本体の第２の側部を受け入れるように構成されていてもよい。
【００６３】
閉鎖部材は、閉鎖本体によって定められる面に平行、または実質的に平行な方向で、閉鎖本体を摺動部に滑り込ませることによって、収容部に受け入れることができる。
【００６４】
閉鎖部材は、閉鎖本体によって定められる面に垂直、または実質的に垂直な方向で、閉鎖本体を摺動部に押し込むことによって、収容部に受け入れることができる。
【００６５】
閉鎖部材を受け入れる収容部を設けることによって、閉鎖部材をハウジングから独立させることができる。閉鎖部材をハウジングから独立させることによって、設計および製造での可能性を増すことができ、また、たとえば不具合時に、閉鎖部材を容易に交換できるようになる。
【００６６】
閉鎖部材は、様々な材料で形成することができ、そのそれぞれが、耐摩耗性、延性、可撓性、表面摩擦などにおいて様々な利点を有する。閉鎖部材は金属製でもよい。閉鎖部材は、ＰＯＭ（ポリオキシメチレン）および／またはＡＢＳ（アクリルニトリルブタジエンスチレン）など、プラスチック材料製でもよい。たとえば、ＰＯＭは、その可撓性および表面摩擦によって有利であり得る。
【００６７】
図１は、電池扉１２を有する例示的聴覚装置２を概略的に示す。聴覚装置２はハウジング４を備える。電池扉１２は電池室１９を備える。電池扉１２は、ハウジング４に旋回的に連結され、旋回軸１３の周りで旋回し、それによって、電池扉は、開位置と閉位置との間で回転することができる。図１では、電池扉１２は閉位置に示されている。
【００６８】
図２は、閉鎖装置１４を有する例示的電池扉１２を概略的に示す。閉鎖装置１４は、第１の主閉鎖要素１６と、任意選択で第１の２次閉鎖要素１８とを備える。図２はさらに、旋回軸１３を示している。
【００６９】
第１の主閉鎖要素１６および第１の２次閉鎖要素１８は、旋回軸１３に対して実質的に平行な方向に陥入する窪みである。第１の主閉鎖要素１６および第１の２次閉鎖要素１８は、閉鎖部材の第１および／または第２の突起を受け入れるように構成されている。
【００７０】
図３は、例示的閉鎖部材６を概略的に示す。閉鎖部材６は、第１の遠位端１０を有する第１の閉鎖アーム８を備える。図示の閉鎖部材６は、第２の遠位端３０を有する第２の閉鎖アーム２８をさらに備える。閉鎖部材６は閉鎖本体２４を備え、第１の閉鎖アーム８および第２の閉鎖アーム２８が閉鎖本体２４から延出する。
【００７１】
第１の閉鎖アーム８は第１の突起２０を備える。第１の突起２０は、閉鎖本体から遠位に位置する。第１の突起は、図３では、第１の閉鎖アーム８の第１の遠位端１０に示されている。
【００７２】
第２の閉鎖アーム２８は第２の突起３６を備える。第２の突起３６は、閉鎖本体から遠位に位置する。第２の突起は、図３では、第２の閉鎖アーム２８の第２の遠位端３０に示されている。
【００７３】
図４は、前方から見た例示的閉鎖部材６を概略的に示している。閉鎖部材６は、第１の遠位端１０および第１の突起２０を有する第１の閉鎖アーム８を備えている。閉鎖部材６は、第２の遠位端３０および第２の突起３６を有する第２の閉鎖アーム２８をさらに備えている。閉鎖部材６は閉鎖本体２４を備えており、第１の閉鎖アーム８および第２の閉鎖アーム２８が閉鎖本体２４から延出している。
【００７４】
第１の閉鎖アーム８は可撓性であり、それによって、第１の遠位端１０が第１の方向２２に変位可能である。第２の閉鎖アーム２８は可撓性であり、それによって、第２の遠位端３０が第２の方向３８に変位可能である。
【００７５】
閉鎖本体２４は貫通孔２５を備えている。その貫通孔は、第１の閉鎖アーム８および第２の閉鎖アーム２８の遠位端１０、３０が、それぞれの第１の方向２２および第２の方向３８に変位したときに、閉鎖本体２４の内部応力を減少させる手段として働く。
【００７６】
第１の突起２０は、閉鎖装置１４の第１の主閉鎖要素１６および／または第１の２次閉鎖要素１８に嵌まり込むように構成されている。第２の突起３６は、閉鎖装置１４の第２の主閉鎖要素３２および／または第２の２次閉鎖要素３４に嵌まり込むようになされている。
【００７７】
閉鎖装置１４が閉鎖部材６に係合しようとするとき、第１の閉鎖アーム８は第１の方向２２に変位させられ、かつ／または第２の閉鎖アーム２８は第２の方向３８に変位させられる。変位は、図示の例では、部分的に第１の突起２０および第２の突起３６の形状に依存する。それに加えてあるいはその代わりに、変位は、閉鎖装置１４の形状に依存することもある。
【００７８】
図５は、側方から見た例示的閉鎖部材６を概略的に示す。図５は、第１の閉鎖アーム８および第２の閉鎖アーム２８が、閉鎖本体２４から閉鎖本体アーム角度βで延出していることを示す。閉鎖本体アーム角度βは、９０〜１８０度でよく、１０５〜１４０度などである。図５は、第１の閉鎖アーム８と第２の閉鎖アーム２８とが、実質的に同じ大きさの閉鎖本体アーム角度βで閉鎖本体２４から延出しているところを示す。ただし、第１の閉鎖アーム８と第２の閉鎖アーム２８とは、異なる角度で閉鎖本体２４から延出してもよく、たとえば、第１の閉鎖アーム８は第１の閉鎖本体アーム角度β１で閉鎖本体２４から延出し、第２の閉鎖アーム２８は第２の閉鎖本体アーム角度β２で閉鎖本体２４から延出してもよい。
【００７９】
図６Ａおよび６Ｂは、閉鎖部材６および電池扉１２が開位置にある例示的聴覚装置ハウジング４を概略的に示す。電池扉１２は、旋回軸１３の周りで回転可能である。
【００８０】
図６Ｂに見られるように、電池扉１２は閉鎖装置１４を備える。閉鎖装置は、第１の主閉鎖要素１６と、第１の２次閉鎖要素１８と、第２の主閉鎖要素３２と、第２の２次閉鎖要素３４とを備える。電池扉を、閉位置に向けて旋回軸１３の周りで回転させると、第１の閉鎖アーム８が第１の方向２２に変位させられ、第２の閉鎖アーム２８が第２の方向３８に変位させられる。
【００８１】
電池扉が閉位置に向かって回転すると、第１の閉鎖アーム８および第２の閉鎖アーム２８の遠位端の傾斜面と閉鎖装置１４の傾斜面との接触によって、第１の閉鎖アームおよび第２の閉鎖アーム２８がそれぞれ第１の方向２２および第２の方向３８に変位させられる。
【００８２】
図７Ａおよび７Ｂは、閉鎖部材６および電池扉１２が閉位置にある例示的聴覚装置ハウジング４を概略的に示す。電池扉１２は、旋回軸１３の周りで回転可能である。図６Ａおよび６Ｂに示された開位置と比較すると、電池扉１２が旋回軸１３周りで回転して、電池扉１２の閉鎖装置１４が閉鎖要素６に係合している。
【００８３】
第１の閉鎖アーム８の第１の突起２０が、第１の主閉鎖要素１６と係合し、それによって、電池扉１２が閉位置に保持される。
【００８４】
さらに、図示の例は、第２の突起３６を有する第２の閉鎖アーム２８を備える閉鎖部材６を示す。第２の突起３６は、閉鎖装置１４の第２の主閉鎖要素３２と係合する。それによって、図示の例では、第２の突起３６が第２の主閉鎖要素３２と係合することによって、電池扉１２が閉位置にさらに保持される。
【００８５】
図７Ａおよび７Ｂに示された閉位置は、電気回路が電池扉内に配置された電池に電気的に接続され、それによって聴覚装置が電池によって電力供給される、オン位置にすることができる。
【００８６】
電池扉１２を閉位置へ回転させたとき、第１の閉鎖アーム８および第２の閉鎖アーム２８の可撓性、および第１の主閉鎖要素１６および第２の主閉鎖要素３２によって設けられた窪みが、第１の遠位端１０および第２の遠位端３０を、それらそれぞれの第１の方向２２および第２の方向３８とは反対向きに変位させる。
【００８７】
図７Ａおよび７Ｂに示された閉位置から図６Ａおよび６Ｂに示された開位置への旋回軸１３周りの電池扉１２の回転は、第１の遠位端１０の第１の方向２２での変位および第２の遠位端３０の第２の方向３８での変位を伴うことが明白である。電池扉が開位置にあるとき、第１の遠位端１０および第２の遠位端３０は、第１の閉鎖アーム８および第２の閉鎖アーム２８の可撓性により、第１の方向２２および第２の方向３８とは反対向きにそれぞれ変位することによって、それぞれの初期の弛緩位置を回復する。
【００８８】
第１の閉鎖アーム８および第２の閉鎖アーム２８の可撓性は、閉鎖部材６全体の材質および設計によって得ることができることは極めて明白である。
【００８９】
図８Ａおよび８Ｂは、閉鎖部材６および電池扉１２が半閉位置にある例示的聴覚装置ハウジング４を概略的に示す。電池扉１２は、旋回軸１３の周りで回転可能である。図６Ａおよび６Ｂに示された開位置、および図７Ａおよび７Ｂに示された閉位置と比較すると、電池扉１２が旋回軸１３周りで回転して、閉鎖装置１４が閉鎖要素６と半閉位置で係合している。
【００９０】
半閉位置は、第１の２次閉鎖要素１８および任意選択で第２の２次閉鎖要素３４を備える閉鎖装置によって設定される。半閉位置では、第１の突起２０が第１の２次閉鎖要素１８と係合し、かつ／または第２の突起３６が第２の２次閉鎖要素３４と係合する。
【００９１】
図９は、例示的閉鎖装置１４および例示的閉鎖部材６を概略的に示す。閉鎖装置１４は、第１の主閉鎖要素１６を備える。図９に示された閉鎖装置１４は、任意選択の第１の２次閉鎖要素１８と、任意選択の第２の主閉鎖要素３２と、任意選択の第２の２次閉鎖要素３４とをさらに備える。閉鎖要素１６、１８、３２、３４のそれぞれは、前方面１６Ａ、１８Ａ、３２Ａ、３４Ａと、第１の面１６Ｂ、１８Ｂ、３２Ｂ、３４Ｂと、後方面１６Ｃ、１８Ｃ、３２Ｃ、３４Ｃと、第２の面１６Ｄ、１８Ｄ、３２Ｄ、３４Ｄを備える。閉鎖部材６は、第１の閉鎖アーム８と、任意選択の第２の閉鎖アーム２８とを備える。第１の突起２０が、第１の閉鎖アーム８の第１の遠位端１０の近くに位置する。第２の突起３６が、第２の閉鎖アーム２８の第２の遠位端３０の近くに位置する。
【００９２】
第１および第２の突起２０、３６のそれぞれは、前方面２０Ａ、３６Ａと、遠位面２０Ｂ、３６Ｂと、後方面２０Ｃ、３６Ｃをそれぞれ備える。
【００９３】
図１０は、図９にも示した例示的閉鎖装置１４および例示的閉鎖部材６を概略的に示す。図１０では、より分かり易くするために一部の参照番号が省略されている。
【００９４】
第１の閉鎖アーム８の前方面２０Ａは、閉鎖アーム前方面角度θ１だけ傾斜している。第１の閉鎖アーム８の後方面２０Ｃは、閉鎖アーム後方面角度θ２だけ傾斜している。図９および図１０に示されるように、第２の閉鎖アーム２８の前方面３６Ａおよび後方面３６Ｃは、第１の閉鎖アーム８の前方面２０Ａおよび後方面２０Ｃと同様な角度を呈することができる。ただし、別の例示的閉鎖部材では、第２の閉鎖アーム２８の形状が、第１の閉鎖アーム８とは異なることもある。
【００９５】
第１の主閉鎖要素１６の前方面１６Ａは、主閉鎖要素前方面角度α１だけ傾斜し、第１の主閉鎖要素１６の後方面１６Ｃは、主閉鎖要素後方面角度α２だけ傾斜している。第１の主閉鎖要素１６の第１の面１６Ｂは、主閉鎖要素高さＨ１を有する。主閉鎖高さＨ１は、０．１〜０．５ｍｍの範囲内、または０．２〜０．４ｍｍの範囲内、または０．２５〜０．３５ｍｍの範囲内でよい。
【００９６】
第１の２次閉鎖要素１８の前方面１８Ａは、２次閉鎖要素前方面角度α３だけ傾斜し、第１の２次閉鎖要素１８の後方面１８Ｃは、２次閉鎖要素後方面角度α４だけ傾斜している。第１の２次閉鎖要素１８の第１の面１８Ｂは、２次閉鎖要素高さＨ２を有する。２次閉鎖高さＨ２は、０．１〜０．６ｍｍの範囲内、または０．２〜０．５ｍｍの範囲内、または０．３〜０．４ｍｍの範囲内でよい。
【００９７】
図１０に示されるように、第２の主閉鎖要素３２の前方面３２Ａ、後方面３２Ｃ、および第１の面３２Ｂは、第１の主閉鎖要素１６の前方面１６Ａ、後方面１６Ｃ、および第１の面１６Ｂと同様な角度および高さを呈することができる。さらに、第２の２次閉鎖要素３４の前方面３４Ａ、後方面３４Ｃ、および第１の面３４Ｂは、第１の２次閉鎖要素１８の前方面１８Ａ、後方面１８Ｃ、および第１の面１８Ｂと同様な角度および高さを呈することができる。ただし、別の例示的閉鎖装置では、第２の主閉鎖要素３２および第２の２次閉鎖要素３４の形状が、第１の主閉鎖１６および／または第１の２次閉鎖要素１８の形状とは異なることもある。
【００９８】
上記の角度は、図１０に示されるように、それぞれの面と旋回軸１３に平行な交差軸との間で計測される。
【００９９】
閉鎖アーム前方面角度θ１、主閉鎖要素前方面角度α１、および／または２次閉鎖要素前方面角度α３は、２５〜７０度、たとえば３０〜６０度、たとえば３５〜５０度でもよい。
【０１００】
閉鎖アーム前方面角度θ１は、主閉鎖要素前方面角度α１、および／または２次閉鎖要素前方面角度α３に一致させることができる。たとえば、閉鎖アーム前方面角度θ１、主閉鎖要素前方面角度α１、および／または２次閉鎖要素前方面角度α３は、たとえば円滑な閉鎖を実現するために、１０度以内の差、または５度以内の差など、実質的に等しくすることができる。
【０１０１】
主閉鎖要素前方面角度α１と２次閉鎖要素前方面角度α３とは、２度より大きな差、たとえば４度より大きな差、たとえば６度より大きな差があってもよい。主閉鎖要素前方面角度α１と２次閉鎖要素前方面角度α３との差は、電池扉１２を開位置から半閉位置へ旋回するときと、電池扉１２を半閉位置から閉位置へ旋回するときとの感覚の差を使用者に与えるという利点になり得る。
【０１０２】
閉鎖アーム後方面角度θ２、主閉鎖要素後方面角度α２、および／または２次閉鎖要素後方面角度α４は、３０〜８０度、たとえば４５〜７０度、たとえば５５〜６５度でもよい。
【０１０３】
閉鎖アーム後方面角度θ２は、主閉鎖要素後方面角度α２、および／または２次閉鎖要素後方面角度α４と一致させることができる。たとえば、閉鎖アーム後方面角度θ２、主閉鎖要素後方面角度α２、および／または２次閉鎖要素後方面角度α４は、たとえば円滑な開放を実現するために、１０度以内の差、または５度以内の差など、実質的に等しくすることができる。
【０１０４】
主閉鎖要素後方面角度α２と２次閉鎖要素後方面角度α４とは、２度より大きな差、たとえば４度より大きな差、たとえば６度より大きな差があってもよい。主閉鎖要素後方面角度α２と２次閉鎖要素後方面角度α４との差は、電池扉１２を閉位置から半閉位置へ旋回するときと、電池扉１２を半閉位置から開位置へ旋回するときとの感覚の差を使用者に与えるという利点になり得る
【０１０５】
主閉鎖要素前方面角度α１と主閉鎖要素後方面角度α２とは、２度より大きな差、たとえば４度より大きな差、たとえば６度より大きな差があってもよい。主閉鎖要素前方面角度α１と主閉鎖要素後方面角度α２との差は、電池扉１２を閉位置から半閉または開位置へ旋回するときと、電池扉１２を半閉または開位置から閉位置へ旋回するときとの感覚の差を使用者に与えるという利点になり得る。
【０１０６】
主閉鎖要素前方面角度α１は主閉鎖要素後方面角度α２より大きくてもよく、それによって、電池扉１２を開または半閉位置から閉位置へ旋回するのに要する力が、電池扉１２を閉位置から半閉または開位置へ旋回するのに要する力より小さい電池扉が得られる。
【０１０７】
任意選択の第１の２次閉鎖要素１８が省略された場合には、電池扉１２が閉位置から開位置へ、また逆に開位置から閉位置へ旋回される。
【０１０８】
２次閉鎖要素前方面角度α３と２次閉鎖要素後方面角度α４とは、２度より大きな差、たとえば４度より大きな差、たとえば６度より大きな差があってもよい。２次閉鎖要素前方面角度α３と２次閉鎖要素後方面角度α４との差は、電池扉１２を半閉位置から開位置へ旋回するときと、電池扉１２を開位置から半閉位置へ旋回するときとの感覚の差を使用者に与えるという利点になり得る。
【０１０９】
２次閉鎖要素前方面角度α３は２次閉鎖要素後方面角度α４より大きくてもよく、それによって、電池扉１２を半閉位置から閉位置へ旋回するのに要する力が、電池扉１２を開位置から半閉位置へ旋回するのに要する力より小さい電池扉１２が得られる。
【０１１０】
主閉鎖要素高さＨ１および２次閉鎖要素高さＨ２は、閉鎖装置１４が第１の閉鎖アーム８と係合するのに必要な第１の遠位端１０の変位を示す。したがって、閉鎖要素高さＨ１、Ｈ２は、閉鎖要素６が弛緩状態にあるとき、すなわち開位置にあるなど、閉鎖装置１４と接触していないときの閉鎖アーム８の第１の面２０Ｂに対して測定される。
【０１１１】
主閉鎖要素高さＨ１と２次閉鎖要素高さＨ２とは、電池扉１２を開位置と半閉位置との間で旋回させるときと、電池扉１２を半閉位置と閉位置との間で旋回させるときとの感覚の差を使用者に与えるために、異なってもよい。たとえば、２次閉鎖要素高さＨ２が主閉鎖要素高さＨ１より大きくてもよい。
【０１１２】
図１１は、閉鎖部材６を有する例示的聴覚装置ハウジング４を概略的に示す。閉鎖部材６は、前出の諸図に関して説明した閉鎖部材６と同様である。ハウジングは、閉鎖部材６を受け入れるように構成されており、閉鎖部材６をハウジング４に連結する収容部２６を備える。それによって、閉鎖部材６は取外し可能にハウジング４に取り付けられる。収容部２６は、閉鎖部材６の閉鎖本体２４を摺動式に受け入れ、係合するように構成されている。
【０１１３】
図１２は、前方から見た例示的閉鎖部材６’を概略的に示す。閉鎖部材６’は、図４で説明した閉鎖部材６と同様である。ただし、閉鎖部材６’の閉鎖本体２４が切抜き部２５’を有する。切抜き部２５’は、第１の閉鎖アーム８および第２の閉鎖アーム２８の遠位端１０、３０が、それぞれの第１の方向２２および第２の方向３８に変位したとき、閉鎖本体２４の内部応力を減少させる手段として働く。
【０１１４】
閉鎖本体２４の切抜き部２５’の構造によって、閉鎖本体２４が第１の閉鎖本体ロックアーム２７と第２の閉鎖本体ロックアーム２７’とを備えることになる。第１および第２の閉鎖本体ロックアーム２７、２７’は、図１１に関して説明したように、聴覚装置ハウジング４の収容部２６に挿入されたとき閉鎖部材６’を固定するように働くことができる。
【０１１５】
さらに、以下の項目のいずれかに示される聴覚装置および閉鎖部材が開示される。
（項目１）
ハウジングと、
ハウジングに取り付けられ、旋回軸周りでハウジングに対して旋回するように構成された電池扉と、
ハウジングに取り付けられ、第１の遠位端をもつ第１の閉鎖アームを有する閉鎖部材と
を備える聴覚装置であって、
電池扉が、この電池扉が閉位置にあるとき第１の閉鎖アームと係合するように構成された第１の主閉鎖要素を備える閉鎖装置を具備し、
第１の閉鎖アームが可撓性であり、それによって、電池扉が開位置から閉位置に移動するときに、第１の遠位端が第１の方向に変位し、第１の遠位端の変位が旋回軸に平行な主方向成分を有する聴覚装置。
（項目２）
第１の遠位端の変位が、旋回軸に対して垂直な２次方向成分を有し、２次方向成分が主方向成分より小さい項目１に記載の聴覚装置。
（項目３）
閉鎖部材が閉鎖本体を備え、第１の閉鎖アームがその閉鎖本体から延出する項目１または２に記載の聴覚装置。
（項目４）
閉鎖本体と第１の閉鎖アームとが、９０〜１７０度の範囲内の角度を形成する項目３に記載の聴覚装置。
（項目５）
閉鎖部材が金属製である項目１〜４のいずれか一項に記載の聴覚装置。
（項目６）
閉鎖部材が、ＰＯＭ（ポリオキシメチレン）などのプラスチック材料製である項目１〜４のいずれか一項に記載の聴覚装置。
（項目７）
ハウジングが、閉鎖部材を受け入れ閉鎖部材をハウジングに連結する収容部を備える項目１〜６のいずれか一項に記載の聴覚装置。
（項目８）
第１の閉鎖アームが第１の遠位端に第１の突起を備える項目１〜７のいずれか一項に記載の聴覚装置。
（項目９）
閉鎖装置が第１の２次閉鎖要素を備え、電池扉が半閉位置にあるときに、第１の閉鎖アームが、第１の２次閉鎖要素と係合するように構成される項目１〜８のいずれか一項に記載の聴覚装置。
（項目１０）
閉鎖部材が第２の遠位端を有する第２の閉鎖アームを備え、閉鎖装置が電池扉が閉位置にあるときに第２の閉鎖アームと係合するように構成された第２の主閉鎖要素を備え、第２の閉鎖アームが可撓性であり、それによって、電池扉が開位置から閉位置へ移動するときに、第２の遠位端が第２の方向に変位し、第２の遠位端の変位が旋回軸に平行な主方向成分を有する項目１〜９のいずれか一項に記載の聴覚装置。
（項目１１）
第１の方向と第２の方向とが反対向きである項目１０に記載の聴覚装置。
（項目１２）
第１の閉鎖アームと第２の閉鎖アームとが５度より大きい角度を形成する項目１０または１１に記載の聴覚装置。
（項目１３）
第２の閉鎖アームが第２の突起を第２の遠位端に備える項目１０〜１２のいずれか一項に記載の聴覚装置。
（項目１４）
閉鎖装置が第２の２次閉鎖要素を備え、電池扉が半閉位置にあるときに、第２の閉鎖アームが第２の２次閉鎖要素と係合するように構成される項目１０〜１３のいずれか一項に記載の聴覚装置。
（項目１５）
聴覚装置用の閉鎖部材であって、閉鎖部材が閉鎖本体および第１の閉鎖アームを備え、閉鎖本体と第１の閉鎖アームとが９０〜１７０度の範囲内の角度を形成する閉鎖部材。
【符号の説明】
【０１１６】
２：聴覚装置
４：ハウジング
６：閉鎖部材
８：第１の閉鎖アーム
１０：第１の遠位端
１２：電池扉
１３：旋回軸
１４：閉鎖装置
１６：第１の主閉鎖要素
１６Ａ：第１の主閉鎖要素の前方面
１６Ｂ：第１の主閉鎖要素の第１の面
１６Ｃ：第１の主閉鎖要素の後方面
１６Ｄ：第１の主閉鎖要素の第２の面
１８：第１の２次閉鎖要素
１８Ａ：第１の２次閉鎖要素の前方面
１８Ｂ：第１の２次閉鎖要素の第１の面
１８Ｃ：第１の２次閉鎖要素の後方面
１８Ｄ：第１の２次閉鎖要素の第２の面
１９：電池室
２０：第１の突起
２０Ａ：第１の閉鎖アームの前方面
２０Ｂ：第１の閉鎖アームの第１の面
２０Ｃ：第１の閉鎖アームの後方面
２２：第１の方向
２４：閉鎖本体
２５：貫通孔
２５’：切抜き部
２６：収容部
２７：第１の閉鎖本体ロックアーム
２７’：第２の閉鎖本体ロックアーム
２８：第２の閉鎖アーム
３０：第２の遠位端
３２：第２の主閉鎖要素
３２Ａ：第２の主閉鎖要素の前方面
３２Ｂ：第２の主閉鎖要素の第１の面
３２Ｃ：第２の主閉鎖要素の後方面
３２Ｄ：第２の主閉鎖要素の第２の面
３４：第２の２次閉鎖要素
３４Ａ：第２の２次閉鎖要素の前方面
３４Ｂ：第２の２次閉鎖要素の第１の面
３４Ｃ：第２の２次閉鎖要素の後方面
３４Ｄ：第２の２次閉鎖要素の第２の面
３６：第２の突起
３６Ａ：第２の閉鎖アームの前方面
３６Ｂ：第２の閉鎖アームの第１の面
３６Ｃ：第２の閉鎖アームの後方面
３８：第２の方向
５０：第１の遠位端の変位
５２：第１の遠位端の変位の主方向成分
５４：第１の遠位端の変位の２次方向成分
６０：第２の遠位端の変位
６２：第２の遠位端の変位の主方向成分
６４：第２の遠位端の変位の２次方向成分
θ１：閉鎖アーム前方面角度
θ２：閉鎖アーム後方面角度
α１：主閉鎖要素前方面角度
α２：主閉鎖要素後方面角度
α３：２次閉鎖要素前方面角度
α４：２次閉鎖要素後方面角度
β：閉鎖本体アーム角度
Ｈ１：主閉鎖要素高さ
Ｈ２：２次閉鎖要素高さ
【図１】
2015180055.tif 000003
【図２】
2015180055.tif 000004
【図３】
2015180055.tif 000005
【図４】
2015180055.tif 000006
【図５】
2015180055.tif 000007
【図６Ａ】
2015180055.tif 000008
【図６Ｂ】
2015180055.tif 000009
【図７Ａ】
2015180055.tif 000010
【図７Ｂ】
2015180055.tif 000011
【図８Ａ】
2015180055.tif 000012
【図８Ｂ】
2015180055.tif 000013
【図９】
2015180055.tif 000014
【図１０】
2015180055.tif 000015
【図１１】
2015180055.tif 000016
【図１２】
2015180055.tif 000017
【外国語明細書】
2015180055000001.pdf
2015180055000002.pdf
2015180055000003.pdf
2015180055000004.pdf